(57)【要約】【課題】遮断特性がスリットや孔の加工精度に依存することなく、ＴＨｚ周波数帯を遮断できるバンドストップフィルタと、これを用いた光遮断システムおよびその使用方法を提供する。【解決手段】本発明のバンドストップフィルタ２１は、原子間および分子間の相互作用を有する結晶から成り、前記相互作用が前記結晶の内部において特定の方向に配向し、前記相互作用のエネルギーに共鳴する周波数の光および電磁波を吸収するバンドストップフィルタであって、前記相互作用の配向とそれに共鳴する周波数の光および電磁波の偏向が一致するときにのみ、前記吸収は強くなることを特徴とする。バンドストップフィルタ２１は３次元的に回転させる機構を有する支持手段αと組み合わせることにより、本発明の光遮断システム２０を構成する。【選択図】図２
2007304402.tif 000002
【特許請求の範囲】
【請求項１】
原子間および分子間の相互作用を有する結晶から成り、前記相互作用が前記結晶の内部において特定の方向に配向し、前記相互作用のエネルギーに共鳴する周波数の光および電磁波を吸収するバンドストップフィルタであって、
前記相互作用の配向とそれに共鳴する周波数の光および電磁波の偏向が一致するときにのみ、前記吸収は強くなることを特徴とするバンドストップフィルタ。
【請求項２】
前記相互作用が、水素結合、ファンデルワールス結合、π電子相互作用、または静電相互作用の少なくとも一つであることを特徴とする請求項１に記載のバンドストップフィルタ。
【請求項３】
前記吸収のピークの半値巾が、１００ＧＨｚより狭いことを特徴とする請求項１に記載のバンドストップフィルタ。
【請求項４】
前記結晶は、その内部において異なる方向に、前記相互作用がそれぞれ配向しており、個々の相互作用は異なる共鳴周波数を有することを特徴とする請求項１に記載のバンドストップフィルタ。
【請求項５】
前記結晶は炭化水素およびその誘導体の分子から成る結晶であって、該結晶の厚さがＤ（λ）＝１／｛α（λ）・ｌｎ（Ｉ０  ／Ｉ）｝［ただし、吸収係数α、入射電磁波Ｉ０  、出射電磁波Ｉ］の関係にあることを特徴とする請求項１に記載のバンドストップフィルタ。
【請求項６】
前記結晶は炭化水素およびその誘導体の分子から成る結晶であって、該結晶の表面粗さが共鳴周波数の波長より小さいことを特徴とする請求項１に記載のバンドストップフィルタ。
【請求項７】
原子間および分子間の相互作用を有する結晶から成り、前記相互作用が前記結晶の内部において特定の方向に配向し、前記相互作用のエネルギーに共鳴する周波数の光および電磁波を吸収すると共に、前記相互作用の配向とそれに共鳴する周波数の光および電磁波の偏向が一致するときにのみ、前記吸収は強くなるバンドストップフィルタと、
光および電磁波が前記結晶に入射する方向に対して該結晶を３次元的に回転させる機構を有する支持手段と、
を少なくとも備えたことを特徴とする光遮断システム。
【請求項８】
原子間および分子間の相互作用を有する結晶から成り、前記相互作用が前記結晶の内部において特定の方向に配向し、前記相互作用のエネルギーに共鳴する周波数の光および電磁波を吸収すると共に、前記相互作用の配向とそれに共鳴する周波数の光および電磁波の偏向が一致するときにのみ、前記吸収は強くなるバンドストップフィルタと、光および電磁波が前記結晶に入射する方向に対して該結晶を３次元的に回転させる機構を有する支持手段と、を少なくとも備えた光遮断システムを用い、
前記バンドストップフィルタを前記支持手段に固定した状態とし、前記光および電磁波が前記バンドストップフィルタへ入射する方向および／または前記結晶を３次元的に回転させる機構を制御することを特徴とする光遮断システムの使用方法。
【発明の詳細な説明】
【技術分野】
【０００１】
本発明は、光の検出、評価、分析および光を使った分析を行う際に使用される、特定の周波数帯の光のみを遮断するバンドストップフィルタと、これを用いた光遮断システム及びその使用方法に関する。
【背景技術】
【０００２】
従来、光の特定周波数帯を遮断するバンドストップフィルタとしては、金属板にスリットや微細な孔を加工し、スリットや孔の大きさに応じた光および電磁波との干渉を利用して、特定周波数の光の透過を遮断するものが公知であった（例えば、非特許文献１を参照）。しかしながら、このような構成のバンドストップフィルタは、その遮断特性がスリットや孔の加工精度に依存するため、遮断光の周波数帯を１００ＧＨｚより狭くすることは困難であり、分析精度がそれにより制限されてしまうという問題があった。
【０００３】
また、従来技術では、一つの遮断周波数帯に対して一つのバンドストップフィルタが必要になるため、遮断する周波数帯毎にフィルタを交換しなければならず、遮断周波数帯を変更するためには手間がかかるという問題もあった。
【非特許文献１】Appl. Phys. A 66, 593-598 (1998)
【発明の開示】
【発明が解決しようとする課題】
【０００４】
本発明は、上記事情に鑑みてなされたものであり、遮断特性がスリットや孔の加工精度に依存することなく、ＴＨｚ周波数帯を遮断できるバンドストップフィルタと、これを用いた光遮断システムおよびその使用方法を提供することを目的とする。
【課題を解決するための手段】
【０００５】
本発明の請求項１に係るバンドストップフィルタは、原子間および分子間の相互作用を有する結晶から成り、前記相互作用が前記結晶の内部において特定の方向に配向し、前記相互作用のエネルギーに共鳴する周波数の光および電磁波を吸収するバンドストップフィルタであって、前記相互作用の配向とそれに共鳴する周波数の光および電磁波の偏向が一致するときにのみ、前記吸収は強くなることを特徴とする。
【０００６】
本発明の請求項２に係るバンドストップフィルタは、請求項１において、前記相互作用が、水素結合、ファンデルワールス結合、π電子相互作用、または静電相互作用の少なくとも一つであることを特徴とする。
【０００７】
本発明の請求項３に係るバンドストップフィルタは、請求項１において、前記吸収のピークの半値巾が、１００ＧＨｚより狭いことを特徴とする。
【０００８】
本発明の請求項４に係るバンドストップフィルタは、請求項１において、前記結晶は、その内部において異なる方向に、前記相互作用がそれぞれ配向しており、個々の相互作用は異なる共鳴周波数を有することを特徴とする。
【０００９】
本発明の請求項５に係るバンドストップフィルタは、請求項１において、前記結晶は炭化水素およびその誘導体の分子から成る結晶であって、該結晶の厚さがＤ（λ）＝１／｛α（λ）・ｌｎ（Ｉ０  ／Ｉ）｝［ただし、吸収係数α、入射電磁波Ｉ０  、出射電磁波Ｉ］の関係にあることを特徴とする。
【００１０】
本発明の請求項６に係るバンドストップフィルタは、請求項１において、前記結晶は炭化水素およびその誘導体の分子から成る結晶であって、該結晶の表面粗さが共鳴周波数の波長より小さいことを特徴とする。
【００１１】
本発明の請求項７に係る光遮断システムは、原子間および分子間の相互作用を有する結晶から成り、前記相互作用が前記結晶の内部において特定の方向に配向し、前記相互作用のエネルギーに共鳴する周波数の光および電磁波を吸収すると共に、前記相互作用の配向とそれに共鳴する周波数の光および電磁波の偏向が一致するときにのみ、前記吸収は強くなるバンドストップフィルタと、光および電磁波が前記結晶に入射する方向に対して該結晶を３次元的に回転させる機構を有する支持手段と、を少なくとも備えたことを特徴とする。
【００１２】
本発明の請求項８に係る光遮断システムの使用方法は、原子間および分子間の相互作用を有する結晶から成り、前記相互作用が前記結晶の内部において特定の方向に配向し、前記相互作用のエネルギーに共鳴する周波数の光および電磁波を吸収すると共に、前記相互作用の配向とそれに共鳴する周波数の光および電磁波の偏向が一致するときにのみ、前記吸収は強くなるバンドストップフィルタと、光および電磁波が前記結晶に入射する方向に対して該結晶を３次元的に回転させる機構を有する支持手段と、を少なくとも備えた光遮断システムを用い、前記バンドストップフィルタを前記支持手段に固定した状態とし、前記光および電磁波が前記バンドストップフィルタへ入射する方向および／または前記結晶を３次元的に回転させる機構を制御することを特徴とする。
【発明の効果】
【００１３】
本発明に係るバンドストップフィルタは、原子間および分子間の相互作用を有する結晶から成り、前記相互作用が前記結晶の特定の向きに配向し、前記相互作用のエネルギーに共鳴する周波数の光および電磁波を吸収する。そして、前記相互作用の配向とそれに共鳴する周波数の光および電磁波の偏向が一致するときにのみ、前記吸収は強くなる構成を備えている。この構成によれば、前記結晶をその吸収が強くなる向きに配置するだけで、従来より狭い、具体的には１００ＧＨｚより狭い特定周波数帯を遮断できるバンドストップフィルタの提供が可能となる。この遮断特性は、従来のようなスリットや孔の加工精度に依存するのではなく、結晶の内部構造に強く依存することから、規則性に優れており、高い安定性を備えている。ゆえに、本発明のバンドストップフィルタは、精度の高い光および電磁波の検出や発生光源の評価・分析を実現するために貢献する。
【００１４】
本発明に係る光遮断システムは、原子間および分子間の相互作用を有する結晶から成るバンドストップフィルタと、光および電磁波が前記結晶に入射する方向に対して該結晶を３次元的に回転させる機構を有する支持手段と、を少なくとも備えている。ゆえに、結晶の特定の向きにある前記相互作用の配向とそれに共鳴する周波数の光および電磁波の偏向が一致するように、光および電磁波が結晶に入射する方向に対して、結晶を３次元的に自由自在に制御できる。したがって、この構成からなる光遮断システムは、バンドストップフィルタとして使用する結晶の種類や構造に依存することなく、如何なる結晶でも取り扱うことができる汎用性を備えている。特に、結晶がその内部の異なる方向に、前記相互作用がそれぞれ配向しており、個々の相互作用は異なる共鳴周波数を有するならば、一つのバンドストップフィルタを交換せずに、複数の周波数帯を遮断可能な光遮断システムも構築できる。
【００１５】
本発明に係る光遮断システムの使用方法は、上述した光遮断システムを用い、前記バンドストップフィルタを前記支持手段に固定した状態とし、前記光および電磁波が前記バンドストップフィルタへ入射する方向および／または前記結晶を３次元的に回転させる機構を制御することにより、バンドストップフィルタをなす結晶の種類や構造に応じて、特定周波数帯の光および電磁波を遮断することができる。このような入射方向の制御と回転機構の制御は必ずしも両方を備える必要はなく、いずれか一方でも構わない。特に、上述した入射方向と回転機構の存在は、結晶がその内部の異なる方向に、前記相互作用がそれぞれ配向しており、個々の相互作用は異なる共鳴周波数を有する場合に有効となる。
【発明を実施するための最良の形態】
【００１６】
以下、最良の形態に基づき、図面を参照して本発明を説明する。
本発明に係るバンドストップフィルタは、原子間および分子間の相互作用を有する結晶から成り、前記相互作用が前記結晶の特定の向きに配向し、前記相互作用のエネルギーに共鳴する周波数の光および電磁波を吸収する。そして、前記相互作用の配向とそれに共鳴する周波数の光および電磁波の偏向が一致するときにのみ、前記吸収は強くなる構成を備えている。
【００１７】
上記の原子間および分子間の相互作用としては、水素結合、ファンデルワールス結合、π電子相互作用、または静電相互作用の少なくとも一つが好適である。このような相互作用に対する光および電磁波の共鳴吸収現象を用い、かつ、その吸収のピークの半値巾（ＦＷＨＭ：full width at half maximum）が１００ＧＨｚよりも狭い場合には、従来は極めて困難であった周波数帯の遮断が可能となるので、より好ましい。
【００１８】
特に、上述した結晶が、その内部において２つ以上の異なる方向に、前記相互作用がそれぞれ配向しており、個々の相互作用は異なる共鳴周波数を有する場合には、複数の異なる周波数帯の遮断が可能となる。そのためには、結晶の内部において特定の向きにある前記相互作用の配向とそれに共鳴する周波数の光および電磁波の偏向が一致するように、光および電磁波が結晶に入射する方向に対して、結晶を３次元的に自由自在に制御さえすればよい。つまり、本発明によれば、従来の問題、すなわち、所望の周波数に固有のフィルタを個々に作製し、周波数を変える毎にフィルタを交換する手間がかかるという問題は解消される。
【００１９】
本発明に係る結晶としては、炭化水素およびその誘導体の分子から成る結晶が好適である。このような結晶としては、例えば、アラニン結晶、アルギニン結晶、アスパラギン結晶、アスパラギン酸結晶、システイン結晶、グルタミン結晶、グルタミン酸結晶、グリシン結晶、ヒスチジン結晶、イソロイシン結晶、ロイシン結晶、リシン（リジン）結晶、メチオニン結晶、フェニルアラニン結晶、プロリン結晶、セリン結晶、スレオニン（トレオニン）結晶、トリプトファン結晶、チロシン（タイロシン）結晶、バリン結晶、シスチン結晶、ヒドロキシプロリン結晶、ヒドロキシリジン結晶、チロキシン結晶、ｏ−ホスホセリン結晶、デスモシン結晶、β−アラニン結晶、サルコシン結晶、オルニチン結晶、クレアチン結晶、γ−アミノ酪酸結晶、オパインなどのアミノ酸結晶やヘプトース（七炭糖）結晶、セドヘプツロース結晶、ヘキソース（六炭糖）結晶、グルコース（ブドウ糖）結晶、フルクトース（果糖）結晶、リブロース結晶、ガラクトース結晶、タロース結晶、アロース結晶、ペントース（五炭糖）結晶、アピオース結晶、リボース結晶、マルトース（麦芽糖）結晶、ラクトース（乳糖）結晶、スクロース（蔗糖（ショ糖））結晶、デンプン結晶、アミロース結晶、アミロペクチン結晶、グリコーゲン（俗に動物デンプン）結晶、セルロース結晶、ペクチン結晶、オリゴ糖（少糖）結晶、フルクトオリゴ糖結晶、ガラクトオリゴ糖結晶、乳果オリゴ糖結晶、デオキシ糖結晶、デオキシリボース結晶、フコース結晶、ラムノース結晶、ウロン酸結晶、グルクロン酸結晶、ガラクツロン酸結晶、グルコサミン結晶、グリセリン結晶、キシリトール結晶、ソルビトール結晶、アスコルビン酸（ビタミンＣ）結晶、グルクロノラクトンなどの糖結晶、フェノールおよびその置換体の結晶、カテコールおよびその置換体の結晶、安息香酸およびその置換体の結晶、フタル酸およびその置換体の結晶、マレイン酸およびその置換体の結晶、その他図１に示される構造を有する結晶Ｉ〜Ｖが挙げられる。
【００２０】
上述した本発明に係る作用・効果を発揮させるためには、使用する結晶のサイズは光の波長より大きいものが好適である。具体的には数百μｍ３  より大きいものが好ましく、中でもサイズが１ｍｍ３  以上の結晶は取り扱い性に優れることから、より好ましい。
【００２１】
また、本発明に係る結晶の厚さＤは、光および電磁波が前記結晶に入射する方向において、Ｄ（λ）＝１／｛α（λ）・ｌｎ（Ｉ０  ／Ｉ）｝［ただし、吸収係数α、入射電磁波Ｉ０  、出射電磁波Ｉ］の関係を満たすものとする。すなわち、特定の波長λにおいて、結晶の厚さＤが、αとｌｎ（Ｉ０  ／Ｉ）の積の逆数に等しくなる関係を満足することにより、上述した本発明に係る作用・効果が安定に得られる。
【００２２】
さらに、本発明に係る結晶の表面粗さは共鳴周波数の波長より小さいものが好適である。この条件を満たすことにより、光および電磁波が結晶に入射する際に生じる損失（反射損失など）を低く抑えることができる。つまり、結晶内部を通過して利用できる光および電磁波の量を十分に、安定して確保するためには、結晶の表面粗さが上記条件を満たすことが望ましい。
【００２３】
図２は、本発明に係るバンドストップフィルタとこれを用いた光遮断システムの一例を示す模式的な図である。図２（ａ）は、光および電磁波の進行方向に対して結晶の表面が垂直に配置された状態を結晶の側方から見た断面図である。図２（ｂ）は、図２（ａ）の状態において光および電磁波の進行方向から結晶の表面を見た平面図である。
図２において、光遮断システム２０は、原子間および分子間の相互作用を有する結晶から成り、前記相互作用が前記結晶の内部において特定の向きに配向し、前記相互作用のエネルギーに共鳴する周波数の光および電磁波を吸収すると共に、前記相互作用の配向とそれに共鳴する周波数の光および電磁波の偏向が一致するときにのみ、前記吸収は強くなるバンドストップフィルタ２１と、光および電磁波が前記結晶に入射する方向に対して該結晶を３次元的に回転させる機構を有する支持手段αと、を少なくとも備えている。ただし、支持手段αは回転手段とも呼ぶ。
【００２４】
前記相互作用が前記結晶の内部において特定の向きに配向している場合には、支持手段１２を３次元的に回転させる機構を用い、角度θと角度φとを制御することにより、前記相互作用の配向とそれに共鳴する周波数の光および電磁波の偏向が一致するように調整する。ここで、角度θとは、図２の紙面がなす平面内において支持手段αが回転する方向の角度であり、例えば光および電磁波の進行方向が結晶の表面と垂直をなす位置を０度と定める。角度φとは、光および電磁波の進行方向を回転軸として支持手段αが回転する方向の角度であり、例えば光および電磁波の進行方向から見て紙面と垂直をなす位置を０度と定める。図２に示した状態は、２つの角度θとφがいずれも０度の場合を示している。
【００２５】
図２の構成からなる光遮断システムは、前記相互作用が前記結晶の内部において２つ以上の特定の向きに配向している場合に特に有効である。つまり、上述した３次元的に回転する機構を制御するだけで、一つのバンドストップフィルタを用いて、個々の相互作用に基づく周波数帯の遮断が可能となる。ゆえに、本発明によれば、所望の周波数に固有のフィルタを個々に作製し、周波数を変える毎にフィルタを交換する手間がかかる等という、従来のような問題は一切解消される。また、それぞれの相互作用が異なる共鳴周波数を有する場合には、複数の異なる周波数帯の遮断が可能となるので、本発明に係る光遮断システムは極めて優れた利便性を備えている。なお、前記相互作用が前記結晶の内部において１つの特定の向きに配向している場合でも、例えば遮断特性が最も有効に得られるように、光および電磁波の進行方向と相互作用の特定の向きとの関係を適宜調整することが可能なことから、本発明は安定した機能を発揮する光遮断システムの提供にも寄与する。
【００２６】
図３は、本発明に係るバンドストップフィルタとこれを用いた光遮断システムの他の一例を示す模式的な断面図である。図３において、光遮断システム３０は、原子間および分子間の相互作用を有する結晶から成り、前記相互作用が前記結晶の内部において１つの特定の向きに配向し、前記相互作用のエネルギーに共鳴する周波数の光および電磁波を吸収すると共に、前記相互作用の配向とそれに共鳴する周波数の光および電磁波の偏向が一致するときにのみ、前記吸収は強くなるバンドストップフィルタ３１と、光および電磁波が前記結晶に入射する方向に対して該結晶を所定の傾斜角度θをなす面を有する支持手段βと、を少なくとも備えている。ただし、支持手段βは固定手段とも呼ぶ。
図３に示すような構成は、使用する結晶が１つの特定の向きに配向する相互作用を有することが事前に分かっている場合に特に有効である。例えば１つの周波数帯のみを遮断するバンドストップフィルタを大量に生産するような場合には、図３の構成とした光遮断システムは小型化や低コスト化が図れるとともに、その構成がシンプルであることから長期信頼性も兼ね備えることができる。
【００２７】
図４は、使用する結晶の相互作用の方向とＴＨｚ周波数との関係を示す表であり、本発明に係る光遮断システムの使用方法を解説するための図が挿入されている。
図４において、縦欄はＴＨｚ周波数と使用する結晶の相互作用（ここでは水素結合と表記）との大小関係を示しており、Ａは前者が後者より小さい場合を、Ｂは両者が同じ場合を、Ｃは前者が後者より大きい場合を、それぞれ表している。横欄はＴＨｚ波の偏向方向と相互作用の結合方向との関係を示しており、水平は両者が水平をなす場合を、垂直は両者が垂直をなす場合を、それぞれ表している。
図４から、Ｂの条件を満たしたときに初めて、ＴＨｚが透過しない場合（水平）とＴＨｚ波が透過される場合（垂直）が得られることが分かる。ゆえに、本発明に係る使用方法、すなわち、例えば図２に示すような光遮断システムを用い、バンドストップフィルタを支持手段に固定した状態とし、光および電磁波が前記バンドストップフィルタへ入射する方向および／または結晶を３次元的に回転させる機構を制御する光遮断システムの使用方法によれば、特定周波数帯の光および電磁波を遮断することが可能となる。
【００２８】
なお、ここでは、相互作用として水素結合を例に挙げて説明したが、この作用・効果は水素結合に限定されるものではなく、ファンデルワールス結合やπ電子相互作用、静電相互作用などの弱い相互結合であれば、水素結合とほぼ同様の作用・効果が得られる。また、この作用・効果は上述したように各種の結晶において得られるものであることから、本発明は、バンドストップフィルタをなす結晶の種類や構造に応じて、特定の周波数帯を遮断させる光遮断システムの使用方法の提供に寄与するものである。
【実施例】
【００２９】
以下では、図面を参照して本発明に係る実施例を詳細に説明するが、本発明はこれらの実施例のみに限定されるものではない。
（実施例１）
本例では、バンドストップフィルタをなす結晶としてスクロース単結晶を用い、テラヘルツ（ＴＨｚ）周波数領域のスペクトルを観測した。使用したスクロース単結晶の大きさは２３×１６×１．３［ｍｍ３  ］であり、テラヘルツ周波数領域のスペクトルはテラヘルツ時間分解テラヘルツ分光装置（先端赤外社製）を用いて測定した。その際、スペクトルの進行方向に対して結晶を設置する角度を変更して測定をした。
図５は、テラヘルツスペクトルの一例を示すグラフである。図５に示すように、この結晶はその設置する角度によって２つの周波数、すなわち１．４０ＴＨｚと１．６３ＴＨｚに吸収があることが分かった。それぞれの吸収係数は、α（１．４０ＴＨｚ）＝４１．４３ｃｍ−１、α（１．６３ＴＨｚ）＝７４．２４−１であった。この結果から、スクロース単結晶はその設置角度によって、２つのテラヘルツ周波数に対するバンドストップフィルターとして利用できることが確認された。
【００３０】
次に、このスクロース単結晶を図６に示すテラヘルツイメージング装置に設置し、テラヘルツガスレーザー（コヒレント社製、ＳＩＦ−ＩＲ）から出射される１．４０ＴＨｚおよび１．６３ＴＨｚのレーザー波に対して、テラヘルツ光強度プロファイルを測定した。図７はその結果を示す図である。図７において、上段に示した（ａ）は１．４０ＴＨｚの場合であり、下段に示した（ｂ）は１．６３ＴＨｚの場合である。なお、ここで変化させた角度は、前述の図２に示した角度φ、すなわちレーザー光の進行方向を回転軸として結晶を載置した支持手段αが回転する方向の角度φである。
図７から、以下の点が明らかとなった。
（１）角度φが０度の条件においては、１．４０ＴＨｚのテラヘルツ波はカットされるが、角度φを０度から９０度まで変化させて、結晶を回転させることにより徐々に透過率が増加する傾向を示した。
（２）１．６３ＴＨｚの場合は、角度φを０度から９０度まで変化させて、結晶を回転させると、逆に透過率が減少する傾向を示した。
以上の結果より、１．４０ＴＨｚおよび１．６３ＴＨｚのテラヘルツ波に対して、スクロース単結晶はその設置角度を適宜選択することにより、透過率を独立して制御可能なことが確認された。
【００３１】
（実施例２）
本例では、バンドストップフィルタをなす結晶としてヒスチジン単結晶を用い、テラヘルツ（ＴＨｚ）周波数領域のスペクトルを観測した。図８は、テラヘルツスペクトルの他の一例を示すグラフである。このスペクトルは、実施例１と同様のテラヘルツガスレーザーから出射される１．８９ＴＨｚのレーザー波に対して、この結晶をバンドストップフィルタとして用い、実施例１と同様に、結晶の設置角度（前述の図２に示した角度φ）を０度から９０度に回転させることによって透過率を測定した。その結果、透過率は、結晶の設置角度の回転に応じて可変し、出力制御が可能であることが確認された。
【図面の簡単な説明】
【００３２】
【図１】本発明に係る結晶の一例を示す構造式である。
【図２】本発明に係るバンドストップフィルタとこれを用いた光遮断システムの一例を示す断面図である。
【図３】本発明に係るバンドストップフィルタとこれを用いた光遮断システムの他の一例を示す模式的な断面図である。
【図４】使用する結晶の相互作用の方向とＴＨｚ周波数との関係を示す表である。
【図５】テラヘルツスペクトルの一例を示すグラフである。
【図６】テラヘルツイメージング光学系を示す図である。
【図７】テラヘルツ光強度プロファイルを示す図である。
【図８】テラヘルツスペクトルの他の一例を示すグラフである。
【符号の説明】
【００３３】
α  支持手段（回転手段）、β  支持手段（固定手段）、２０、３０  光遮断システム、２１、３１  バンドストップフィルタ。
【図１】
2007304402.tif 000003
【図２】
2007304402.tif 000004
【図３】
2007304402.tif 000005
【図４】
2007304402.tif 000006
【図５】
2007304402.tif 000007
【図６】
2007304402.tif 000008
【図７】
2007304402.tif 000009
【図８】
2007304402.tif 000010